(57)【要約】【課題】用紙裏面の裏面読取センサによる読み取りが斜めになることを防止（リードスキューの防止）できる用紙搬送装置及び画像読取位置調整方法を提供する。【解決手段】用紙の表面の画像と裏面の画像に平行度が出ていない場合には、裏面画像読取センサ４０の他方の端部４０Ｂを長孔４６に沿って移動させて画像読取位置を調整することにより、裏面画像読取センサ４０による用紙裏面の画像の読取が斜めになってしまうことを防止（リードスキューの防止）できる。【選択図】      図３
2007110658.tif 000002
【特許請求の範囲】
【請求項１】
用紙の裏面の画像を読み取る読取センサを備えた用紙搬送装置であって、
前記読取センサを移動させて読取位置を調整する読取センサ移動手段を設けたことを特徴とする用紙搬送装置。
【請求項２】
前記読取センサ移動手段は、前記読取センサが前記用紙の搬送方向に対して傾斜するように回転移動することを許容する傾斜手段であることを特徴とする請求項１に記載の用紙搬送装置。
【請求項３】
用紙の裏面の画像を読み取る読取センサを備えた用紙搬送装置の画像読取位置調整方法であって、
読取センサ移動手段により前記読取センサを移動させて前記用紙の裏面の画像を読み取ることを特徴とする画像読取位置調整方法。
【請求項４】
前記読取センサ移動手段は、前記読取センサが前記用紙の搬送方向に対して傾斜するように回転移動することを許容する傾斜手段であり、前記傾斜手段により前記読取センサを用紙の搬送方向に対して傾斜移動させて前記用紙の裏面の画像を読み取ることを特徴とする請求項３に記載の画像読取位置調整方法。
【発明の詳細な説明】
【技術分野】
【０００１】
本発明は、画像形成装置に組み付けられる用紙搬送装置（ＡＤＦ）に係り、特に用紙の裏面を読み取る読取センサ（ＣＩＳセンサ）を備えた用紙搬送装置及び画像読取位置調整方法に関する。
【背景技術】
【０００２】
従来の画像形成装置の中には、用紙の裏面を読み取る裏面読取センサ（ＣＩＳセンサ）を有する用紙搬送装置（ＡＤＦ）が組み付けられたものが知られている。この画像形成装置によれば、用紙搬送装置の給紙トレイから内部に用紙が送られ、画像形成装置側に設けられた表面読取センサにより用紙表面の画像が読み取られ、さらに用紙搬送装置（ＡＤＦ）に設けられた裏面読取センサにより用紙裏面の画像が読み取られた後、用紙が別途設けた排紙トレイに排出される。
【特許文献１】特開平５−３０３０５号公報
【特許文献２】特開２００１−１３３９０６号公報
【発明の開示】
【発明が解決しようとする課題】
【０００３】
ところで、上記画像形成装置では、用紙の表面に印字されている画像（読取面）に対して裏面に印字されている画像（読取面）が傾斜している場合や、用紙の表面に印字されている画像（読取面）と裏面に印字されている画像（読取面）とが平行となっていても搬送ロールなどの容姿搬送装置側の部品に歪が生じている場合には、用紙裏面の裏面読取センサによる読み取りが斜めになってしまう問題（リードスキュー（読取時の用紙の傾行）の発生）が生じる問題がある。
【０００４】
そこで、本発明は、上記事情を考慮し、用紙裏面の裏面読取センサによる読み取りが斜めになることを防止（リードスキューの防止）できる用紙搬送装置及び画像読取位置調整方法を提供することを目的とする。
【課題を解決するための手段】
【０００５】
請求項１に記載の発明は、用紙の裏面の画像を読み取る読取センサを備えた用紙搬送装置であって、前記読取センサを移動させて読取位置を調整する読取センサ移動手段を設けたことを特徴とする。
【０００６】
請求項１に記載の発明によれば、画像読取位置調整手段が読取センサを移動させる読取センサ移動手段であるため、読取センサ自体を用紙の画像に対応させて移動させることができる。これにより、用紙の表面の画像と裏面の画像に平行度が出ていない場合であっても、読取センサによる用紙裏面の画像の読取が斜めになってしまうことを容易に防止（リードスキューの防止）できる。この結果、用紙の表面の画像と裏面の画像に平行度が出ていない場合であっても、読取センサにより読み取った画像を傾斜させず紙片に対して平行に別の用紙に印字させることができる。
【０００７】
請求項２に記載の発明は、請求項１に記載の用紙搬送装置において、前記読取センサ移動手段は、前記読取センサが前記用紙の搬送方向に対して傾斜するように回転移動することを許容する傾斜手段であることを特徴とする。
【０００８】
請求項２に記載の発明によれば、読取センサ移動手段は読取センサが用紙の搬送方向に対して傾斜するように回転移動することを許容する傾斜手段であるため、傾斜手段により読取センサの用紙の搬送方向に対する傾斜移動が許容される。これにより、用紙の表面の画像と裏面の画像に平行度が出ていない場合であっても、読取センサを用紙の画像に対応させて移動させることができ、読取センサによる用紙裏面の画像の読取が斜めになってしまうことを容易に防止（リードスキューの防止）できる。
【０００９】
請求項３に記載の発明は、用紙の裏面の画像を読み取る読取センサを備えた用紙搬送装置の画像読取位置調整方法であって、読取センサ移動手段により前記読取センサを移動させて前記用紙の裏面の画像を読み取ることを特徴とする。
【００１０】
請求項３に記載の発明によれば、画像読取位置調整手段が読取センサを移動させる読取センサ移動手段であるため、読取センサ自体を用紙の画像に対応させて移動させることができる。これにより、用紙の表面の画像と裏面の画像に平行度が出ていない場合であっても、読取センサによる用紙裏面の画像の読取が斜めになってしまうことを容易に防止（リードスキューの防止）できる。この結果、用紙の表面の画像と裏面の画像に平行度が出ていない場合であっても、読取センサにより読み取った画像を傾斜させず紙片に対して平行に別の用紙に印字させることができる。
【００１１】
請求項４に記載の発明は、請求項３に記載の画像読取位置調整方法において、前記読取センサ移動手段は、前記読取センサが前記用紙の搬送方向に対して傾斜するように回転移動することを許容する傾斜手段であり、前記傾斜手段により前記読取センサを用紙の搬送方向に対して傾斜移動させて前記用紙の裏面の画像を読み取ることを特徴とする。
【００１２】
請求項４に記載の発明によれば、読取センサ移動手段は読取センサが用紙の搬送方向に対して傾斜するように回転移動することを許容する傾斜手段であるため、傾斜移動手段により読取センサの用紙の搬送方向に対する傾斜移動が許容される。これにより、用紙の表面の画像と裏面の画像に平行度が出ていない場合であっても、読取センサを用紙の画像に対応させて移動させることができ、読取センサによる用紙裏面の画像の読取が斜めになってしまうことを容易に防止（リードスキューの防止）できる。
【発明の効果】
【００１３】
本発明によれば、用紙裏面の裏面読取センサによる読み取りが斜めになることを防止（リードスキューの防止）できる。
【発明を実施するための最良の形態】
【００１４】
次に、本発明の一実施形態に係る用紙搬送装置及び画像読取位置調整方法について、図面を参照して説明する。先ず、本発明の用紙搬送装置が画像形成装置に組み付けられた状態の概略構成について説明する。
【００１５】
図１及び図２に示すように、用紙搬送装置（ＡＤＦ）１０は、画像形成装置１２の上部に取り付けられている。画像形成装置１２には、原稿台１４が設けられている。この原稿台１４には、所定の情報を入力するためボタン１６と所定の情報を表示するための液晶表示部１８とを備えた入力部２０が取り付けられている。また、原稿台１４の上面にはプラテンガラス（図示省略）が取り付けられている。また、原稿台１４の内部には、光を照射する光源部（図示省略）、用紙表面の画像を読み取る表面画像読取センサ（図示省略）などが設けられている。
【００１６】
また、画像形成装置１２の原稿台１４の下方には、用紙ストック部２２が設けられている。この用紙ストック部２２には、サイズの異なる用紙をサイズ毎に区分けして収容された複数の用紙カセット２４が配置されている。また、用紙ストック部２２の上面には、用紙カセットから繰り出されコピーモードやファクシミリモードにより読取又は受信した所定の情報が印字された用紙が排出される排出トレイ２６が形成されている。
【００１７】
また、図１及び図２に示すように、用紙搬送装置１０には、用紙が載置される給紙トレイ２８が設けられている。また、用紙搬送装置１０の内部には、用紙搬送路３０が形成されている。この用紙搬送路３０は、用紙搬送路３０の入口から用紙表面の画像が読み取られる表面画像読取部位Ａ（図２参照）までの第１搬送路３０Ａと、表面画像読取部位Ａ（図２参照）から用紙搬送路３０の出口までの第２搬送路３０Ｂと、で構成されている。また、用紙搬送装置１０の用紙搬送路３０の入口には、給紙トレイ２８の用紙を内部に導くための給紙ロール３２が配置されている。また、用紙搬送装置１０の内部には、用紙搬送路３０に沿って複数の搬送ロール３４が配置されている。さらに、用紙搬送装置１０の用紙搬送路３０の出口には、用紙搬送路３０を搬送されてきた用紙を排紙トレイ３６に導くための排紙ロール３８が配置されている。
【００１８】
また、用紙搬送装置１０の第２搬送路３０Ｂの裏面画像読取部位Ｂには、用紙の裏面の画像を読み取る裏面画像読取センサ（ＣＩＳセンサ、読取センサ）４０が配置されている。ここで、図３に示すように、裏面画像読取センサ４０は、長方形状に構成されており、その両端部が用紙搬送装置１０内部の取付部４２にネジ４４Ａ、４４Ｂにより取り付けられている。詳細には、裏面画像読取センサ４０の一方の端部４０Ａには円形の貫通孔が形成されており、他方の端部４０Ｂには用紙の搬送方向（図３中矢印Ｘ方向）に延びる長孔４６が形成されており、貫通孔及び長孔４６にネジ４４Ａ、４４Ｂがそれぞれ貫通しかつ取付部４２に形成されたネジ溝にそれぞれ螺合することにより、裏面画像読取センサ４０が取付部４２に取り付けられている。このため、裏面画像読取センサ４０の他方の端部４０Ｂは、一方のネジ４４Ａを中心として回転できるようになっている（図３中矢印Ｓ方向及び矢印Ｔ方向）。これにより、裏面画像読取センサ（ＣＩＳセンサ）４０は、用紙の搬送方向（図３中矢印Ｘ方向）に対して傾斜するように回転移動することができる。
【００１９】
次に、本実施形態の用紙搬送装置１０の作用について説明する。
【００２０】
図２及び図３に示すように、用紙を所定の宛先にＦＡＸ送信する場合あるいはコピーをとる場合には、給紙トレイ２８上の用紙が、給紙ローラ３２により用紙搬送装置１０内部の用紙搬送路３０を構成する第１搬送路３０Ａに供給される。第１搬送路３０Ａに供給された用紙は搬送ローラ３４により第１搬送路３０Ａを搬送させられる。第１搬送路３０Ａを搬送させられた用紙は、表面画像読取部位Ａで、用紙表面の画像が表面画像読取センサ（図示省略）により読み取られる。
【００２１】
表面画像読取部位Ａで表面画像読取センサ（図示省略）により用紙表面の画像が読み取られた用紙は、搬送ローラ３４により用紙搬送路３０を構成する第２搬送路３０Ｂを搬送させられる。そして、裏面画像読取部Ｂで、用紙の裏面の画像が裏面画像読取センサ（ＣＩＳセンサ）４０により読み取られる。裏面画像読取センサ（ＣＩＳセンサ）４０により裏面画像が読み取られた用紙は、そのまま第２搬送路３０Ｂを搬送され、排紙ローラ３８により排紙トレイ３６に排出される。
【００２２】
ここで、図３に示すように、各搬送ローラ３４の寸法精度や用紙に印字された画像の印字精度が悪いため用紙の表面に印字された画像と裏面に印字された画像とが平行になっていなければ、上述したように、裏面画像読取センサ（ＣＩＳセンサ）４０の他方の端部４０Ｂを図３中矢印Ｓ方向又はＴ方向に回転移動させることにより、裏面画像読取センサ（ＣＩＳセンサ）４０を用紙の搬送方向（図３中矢印Ｘ方向）に対して傾斜させることができる。これにより、裏面画像読取センサ（ＣＩＳセンサ）４０が用紙の裏面画像と平行となるように移動させることができ、裏面画像読取センサ（ＣＩＳセンサ）４０による用紙裏面の画像の読取が斜めになってしまうことを防止（リードスキューの防止）できる。この結果、裏面画像読取センサ（ＣＩＳセンサ）４０により読み取った画像を傾斜させず紙片に対して平行に別の用紙に印字させることができる。
【００２３】
なお、裏面画像読取センサ（ＣＩＳセンサ）４０を用紙の搬送方向（図３中矢印Ｘ方向）に対して傾斜させるように移動させる場合には、長孔４６に貫通しているネジ４４Ｂのネジ溝に対する螺合度合いを緩め、裏面画像読取センサ（ＣＩＳセンサ）４０の他方の端部４０Ｂを別部材である工具（図示省略）で押圧することにより裏面画像読取センサ（ＣＩＳセンサ）４０を容易に回転移動させることができる。
【００２４】
また、上記実施形態の用紙搬送装置１０では、裏面画像読取センサ（ＣＩＳセンサ）４０の他方の端部４０Ｂ側に長孔４６を形成した構成を示したが、例えば、裏面画像読取センサ（ＣＩＳセンサ）４０の一方の端部４０Ａ側にも同様の長孔（図示省略）を形成し、裏面画像読取センサ（ＣＩＳセンサ）４０の一方の端部４０Ａも他方の端部４０Ｂと同様に長孔に沿って回転移動できようにしてもよい。
【図面の簡単な説明】
【００２５】
【図１】本発明の一実施形態に係る用紙搬送装置が組み付けられた画像形成装置の斜視図である。
【図２】本発明の一実施形態に係る用紙搬送装置の内部の概略構成図である。
【図３】本発明の一実施形態に係る用紙搬送装置の要部の説明図である。
【符号の説明】
【００２６】
１０      用紙搬送装置
４０      裏面画像読取センサ（読取センサ）
４４Ｂ    ネジ（画像読取位置調整手段、読取センサ移動手段、傾斜手段）
４６      長孔（画像読取位置調整手段、読取センサ移動手段、傾斜手段）
【図１】
2007110658.tif 000003
【図２】
2007110658.tif 000004
【図３】
2007110658.tif 000005